(57)【要約】【課題】溶接されて硬質化することが原因でバネ部材４が破損し易くなることを回避しつつ、複数のバネ部材同士が近接または離間するように支柱の軸心の円周方向へ回転することが防止することができる。【解決手段】通水可能に構成され、排水口６を塞ぐように配置されるキャップと、キャップ２から排水口６側に延出するように構成される支柱３と、支柱３における排水口６側に延出する側の端部に取付けられる取付部４０を備え、排水口６の内面を押圧するように構成される複数のバネ部材４と、を具備する、排水口用ストレーナー１であって、複数のバネ部材４は、複数のバネ部材４のうち隣り合うバネ部材４の取付部４０同士を密着させるように重ね合わせて支柱３に取付けられることによって複数のバネ部材４同士が近接または離間するように支柱３の軸心の円周方向へ回転することが防止される回転防止部４３を備える。【選択図】図１
2014031625.tif 000002
【特許請求の範囲】
【請求項１】
通水可能に構成され、排水口を塞ぐように配置されるキャップと、
前記キャップから前記排水口側に延出するように構成される支柱と、
前記支柱における前記排水口側に延出する側の端部に取付けられる取付部を備え、前記排水口の内面を押圧するように構成される複数のバネ部材と、
を具備する、排水口用ストレーナーであって、
前記複数のバネ部材は、前記複数のバネ部材のうち隣り合うバネ部材の取付部同士を密着させるように重ね合わせて前記支柱に取付けられることによって、前記複数のバネ部材同士が近接または離間するように前記支柱の軸心の円周方向へ回転することを防止する回転防止部を備える、
排水口用ストレーナー。
【請求項２】
前記隣り合うバネ部材の一方のバネ部材は、取付部の表面に凸部を備え、
前記隣り合うバネ部材の他方のバネ部材は、取付部の裏面に凹部を備え、
前記複数のバネ部材の回転防止部は、前記複数のバネ部材が前記凸部の少なくとも一部を前記凹部内に配置して前記隣り合うバネ部材の取付部同士を密着させるように重ね合わせて前記支柱に取付けられることによって、前記複数のバネ部材同士が近接または離間するように前記支柱の軸心の円周方向へ回転することが防止される構成とされる、
請求項１に記載の排水口用ストレーナー。
【請求項３】
前記隣り合うバネ部材の他方のバネ部材は、取付部の裏面に複数の凹部を備える、
請求項２に記載の排水口用ストレーナー。
【請求項４】
前記複数のバネ部材は、それぞれの取付部の表面に凸部をそれぞれに備え、それぞれの取付部の裏面に凹部をそれぞれ備える、
請求項２または請求項３に記載の排水口用ストレーナー。
【発明の詳細な説明】
【技術分野】
【０００１】
本発明は、排水口用ストレーナーの技術に関する。
【背景技術】
【０００２】
従来、屋上やバルコニー等に設置される排水口（ドレン）に装着される排水口用ストレーナーの技術は公知となっている。
前記排水口用ストレーナーは、通水可能に構成されて排水口を塞ぐように配置されるキャップと、キャップから排水口側に延出するように構成される支柱と、支柱における排水口側に延出する側の端部に取付けられて排水口の内面を押圧するように構成される複数のバネ部材と、を具備する（特許文献１参照）。
【０００３】
前記排水口用ストレーナーは、複数のバネ部材をそれぞれ曲げた状態で排水口の開口から排水口に挿入していき、キャップの縁部を排水口の開口部の周囲に当接するようにして、排水口に装着される。
そして、前記排水口用ストレーナーは、複数のバネ部材が排水口内において排水口の内面を押圧することによって排水口に固定される。
【先行技術文献】
【特許文献】
【０００４】
【特許文献１】特開平１１−１２４９７２号公報
【発明の概要】
【発明が解決しようとする課題】
【０００５】
しかしながら、前記排水口用ストレーナーでは、排水口内において複数のバネ部材同士が近接または離間するように支柱の軸心の円周方向へ回転すると、複数のバネ部材によって排水口の内面を押圧する力のバランスが悪くなり、排水口用ストレーナーが排水口から脱落し易くなる場合がある。
このため、前記排水口用ストレーナーでは、複数のバネ部材同士が近接または離間するように支柱の軸心の円周方向へ回転することを防止するために、複数のバネ部材が所定の方向に延出した状態で互いに溶接されて固定される。
【０００６】
もっとも、前記排水口用ストレーナーでは、複数のバネ部材が互いに溶接される箇所が、他の箇所に比べて硬質化する場合がある。そして、前記排水口用ストレーナーにおける複数のバネ部材の溶接されて硬質化した箇所は、バネ部材が曲げられると、亀裂が入ったり、また、折れたり等、破損し易くなる。
【０００７】
本発明は以上の如き状況に鑑みてなされたものであり、溶接されて硬質化することが原因でバネ部材が破損し易くなることを回避しつつ、複数のバネ部材同士が近接または離間するように支柱の軸心の円周方向へ回転することを防止することができる技術を提供することを課題とする。
【課題を解決するための手段】
【０００８】
本発明の解決しようとする課題は以上の如くであり、次にこの課題を解決するための手段を説明する。
【０００９】
即ち、請求項１においては、通水可能に構成され、排水口を塞ぐように配置されるキャップと、前記キャップから前記排水口側に延出するように構成される支柱と、前記支柱における前記排水口側に延出する側の端部に取付けられる取付部を備え、前記排水口の内面を押圧するように構成される複数のバネ部材と、を具備する、排水口用ストレーナーであって、前記複数のバネ部材は、前記複数のバネ部材のうち隣り合うバネ部材の取付部同士を密着させるように重ね合わせて前記支柱に取付けられることによって、前記複数のバネ部材同士が近接または離間するように前記支柱の軸心の円周方向へ回転することを防止する回転防止部を備えるものである。
【００１０】
請求項２においては、前記隣り合うバネ部材の一方のバネ部材は、取付部の表面に凸部を備え、前記隣り合うバネ部材の他方のバネ部材は、取付部の裏面に凹部を備え、前記複数のバネ部材の回転防止部は、前記複数のバネ部材が前記凸部の少なくとも一部を前記凹部内に配置して前記隣り合うバネ部材の取付部同士を密着させるように重ね合わせて前記支柱に取付けられることによって、前記複数のバネ部材同士が近接または離間するように前記支柱の軸心の円周方向へ回転することが防止される構成とされるものである。
【００１１】
請求項３においては、前記隣り合うバネ部材の他方のバネ部材は、取付部の裏面に複数の凹部を備えるものである。
【００１２】
請求項４においては、前記複数のバネ部材は、それぞれの取付部の表面に凸部をそれぞれに備え、それぞれの取付部の裏面に凹部をそれぞれ備えるものである。
【発明の効果】
【００１３】
本発明の効果として、以下に示すような効果を奏する。
【００１４】
即ち、本発明によれば、溶接されて硬質化することが原因でバネ部材が破損し易くなることを回避しつつ、複数のバネ部材同士が近接または離間するように支柱の軸心の円周方向へ回転することを防止することができる。
【図面の簡単な説明】
【００１５】
【図１】本発明の第一実施形態に係る排水口用ストレーナーの全体的な構成を示した正面図。
【図２】同じく排水口用ストレーナーが排水口に装着された状態を示した正面図。
【図３】同じく排水口用ストレーナーのバネ部材を示した正面図。
【図４】同じくバネ部材を示した平面図。
【図５】同じくバネ部材を示した底面図。
【図６】同じくバネ部材を示した左側面図。
【図７】同じくバネ部材を示した右側面図。
【図８】同じくバネ部材を分解した状態を示した斜視図。
【図９】同じくバネ部材を分解した状態を示した斜視図。
【図１０】同じくバネ部材の取付部同士を重ね合わせた状態を示した正面図。
【図１１】同じくバネ部材の取付部同士を重ね合わせた状態を示した平面図。
【図１２】同じくバネ部材の取付部同士を重ね合わせた状態を示した拡大断面図。
【図１３】同じくバネ部材の取付部同士を重ね合わせた状態を示した平面図。
【図１４】同じくバネ部材の取付部同士を重ね合わせた状態を示した平面図。
【図１５】本発明の第二実施形態に係る排水口用ストレーナーのバネ部材を示した正面図。
【図１６】同じくバネ部材を示した平面図。
【図１７】同じくバネ部材を示した底面図。
【図１８】同じくバネ部材を示した左側面図。
【図１９】同じくバネ部材を示した右側面図。
【図２０】同じくバネ部材を分解した状態を示した斜視図。
【図２１】同じくバネ部材を分解した状態を示した斜視図。
【図２２】同じくバネ部材の取付部同士を重ね合わせた状態を示した正面図。
【図２３】同じくバネ部材の取付部同士を重ね合わせた状態を示した平面図。
【図２４】同じくバネ部材の取付部同士を重ね合わせた状態を示した拡大断面図。
【図２５】同じくバネ部材の取付部同士を重ね合わせた状態を示した平面図。
【図２６】本発明の第三実施形態に係る排水口用ストレーナーのバネ部材を示した正面図。
【図２７】同じくバネ部材を示した平面図。
【図２８】同じくバネ部材を示した底面図。
【図２９】同じくバネ部材を示した左側面図。
【図３０】同じくバネ部材の取付部同士を重ね合わせた状態を示した平面図。
【発明を実施するための形態】
【００１６】
次に、発明の第一実施形態に係る排水口用ストレーナー（以下「ストレーナー」という）１について、図１から図１４を用いて説明する。
【００１７】
ストレーナー１は、図１または図２に示すように、屋上やバルコニー等に設置される排水口（ドレン）６に装着されるものであり、キャップ２と、支柱３と、二個（複数）のバネ部材４と、を具備する。
【００１８】
ストレーナー１のキャップ２は、複数の通水孔を有し、通水可能に構成される。
ストレーナー１のキャップ２は、通水可能に排水口６を塞ぐように構成される。
【００１９】
ストレーナー１の支柱３は、棒状の部材であり、その一端（上端）にビスによってキャップ２が取付けられる。ストレーナー１の支柱３は、キャップ２の内側から排水口６側に延出するように構成される。
ストレーナー１の支柱３は、その他端（排水口６側に延出する側の端部）に、ビス５によってバネ部材４が取付けられる。
【００２０】
ストレーナー１のバネ部材４は、板バネである。ストレーナー１のバネ部材４は、ＳＵＳ素材の平板状の部材である。
ストレーナー１のバネ部材４は、図３乃至図９に示すように、取付部４０と、延出部４２と、回転防止部４３と、凸部４４と、凹部４５と、を備える。
【００２１】
ストレーナー１のバネ部材４の取付部４０は、支柱３の他端に取付けられる部分である。ストレーナー１のバネ部材４の取付部４０は、バネ部材４の一端側に配置される。
ストレーナー１のバネ部材４は、取付部４０に貫通孔４１が形成されて構成される。
【００２２】
ストレーナー１のバネ部材４の延出部４２は、取付部４０以外の部分で構成される。ストレーナー１のバネ部材４の延出部４２は、取付部４０から延出するように構成される。ストレーナー１のバネ部材４の延出部４２は、取付部４０から延出する長さが排水口６の半径よりも長くなるように構成される。
ストレーナー１のバネ部材４の延出部４２は、排水口６の内面を押圧するように構成される。
【００２３】
ストレーナー１の複数のバネ部材４は、図８乃至図１２に示すように、複数のバネ部材４のうち隣り合うバネ部材４の取付部４０同士を重ね合わせた状態でそれぞれの取付部４０の貫通孔４１にビス５の雄ネジ部を貫通させる。そして、ストレーナー１の複数のバネ部材４は、前記複数のバネ部材４の取付部４０に貫通させたビス５の雄ネジ部を支柱３の他端の雌ネジ部に螺合させることによって、前記複数のバネ部材４のそれぞれの取付部４０同士を密着させるように重ね合わせて支柱３の他端に取付けられる。
ストレーナー１の複数のバネ部材４（バネ部材４の延出部４２）は、支柱３の他端に取付けられた状態では、支柱３の軸心の半径方向に延出するように構成される。ストレーナー１の二個のバネ部材４は、それぞれ１８０度位相をずらすようにして配置される。
【００２４】
ストレーナー１は、複数のバネ部材４をキャップ２と反対側にそれぞれ曲げた状態で排水口６の開口から排水口６に挿入していき、キャップ２の縁部を排水口６の開口部の周囲に当接するようにして、排水口６に装着される（図２参照）。
このように排水口６に装着されたストレーナー１は、排水口６内においてバネ部材４の延出部４２が排水口６の内面を押圧して、排水口６に固定される。
【００２５】
ストレーナー１のバネ部材４の回転防止部４３は、複数のバネ部材４のうち隣り合うバネ部材４の取付部４０同士を密着させるように重ね合わせて支柱３に取付けられることによって、複数のバネ部材４同士が近接または離間するように支柱３の軸心の円周方向へ回転することが防止されるものである。
【００２６】
このようにバネ部材４が回転防止部４３を備えることによって、ストレーナー１では、複数のバネ部材４を互いに溶接して固定することを要さずに、複数のバネ部材４同士が近接または離間するように支柱３の軸心の円周方向へ回転することを防止することができる。
したがって、ストレーナー１によれば、溶接されて硬質化することが原因でバネ部材４が破損し易くなることを回避しつつ、複数のバネ部材４同士が近接または離間するように支柱３の軸心の円周方向へ回転することを防止することができる。
【００２７】
ストレーナー１のバネ部材４の凸部４４は、取付部４０の表面に備えられる。ストレーナー１のバネ部材４の凸部４４は、貫通孔４１の外側に形成される。
【００２８】
ストレーナー１のバネ部材４の凹部４５は、取付部４０の裏面に備えられる。ストレーナー１のバネ部材４の凹部４５は、貫通孔４１の外側に形成される。ストレーナー１のバネ部材４の凹部４５は、他のバネ部材４の凸部４４の少なくとも一部が配置可能に形成される。
【００２９】
ストレーナー１の複数のバネ部材４は、隣り合うバネ部材４の一方の取付部４０の表面と、隣り合うバネ部材４の他方の取付部４０の裏面と、を密着させるように重ね合わせて支柱３に取付けられる。
このとき、ストレーナー１の複数のバネ部材４は、前記一方のバネ部材４の取付部４０の凸部４４の少なくとも一部を、前記他方のバネ部材４の取付部４０の凹部４５内に配置して、隣り合うバネ部材４の取付部４０同士を密着させるように重ね合わせて支柱３に取付けられる。
このように構成されるストレーナー１では、隣り合うバネ部材４の一方のバネ部材４または他方のバネ部材が支柱３の軸心の円周方向への回転すると、一方のバネ部材４の取付部４０の凸部４４が他方のバネ部材４の取付部４０の凹部４５に引っ掛ることとなる。
したがって、ストレーナー１によれば、隣り合うバネ部材４の一方のバネ部材４取付部４０の凸部４４が他方のバネ部材４の取付部４０の凹部４５内に配置されないものに比べて、支柱３の軸心の円周方向への回転するときの抵抗が大きくなり、複数のバネ部材４同士が近接または離間するように支柱３の軸心の円周方向への回転することを防止することができる。
【００３０】
以上のようにして、ストレーナー１のバネ部材４の凸部４４は、取付部４０の表面に備えられる。つまり、ストレーナー１では、複数のバネ部材４のうち隣り合うバネ部材４の一方のバネ部材４は、取付部４０の表面に凸部４４を備える。
また、ストレーナー１のバネ部材４の凹部４５は、取付部４０の裏面に備えられる。つまり、ストレーナー１では、複数のバネ部材４のうち隣り合うバネ部材４の他方のバネ部材４は、取付部４０の表面に凸部４４を備える。
そして、ストレーナー１では、複数のバネ部材４の回転防止部４３は、前記一方のバネ部材４の取付部４０の凸部４４の少なくとも一部を、前記他方のバネ部材４の取付部４０の凹部４５内に配置して、隣り合うバネ部材４の取付部４０同士を密着させるように重ね合わせて支柱３に取付けることで、複数のバネ部材４同士が近接または離間するように支柱３の軸心の円周方向へ回転することが防止される構成とされる。
このようにバネ部材４の回転防止部４３が構成されることによって、ストレーナー１では、確実に、複数のバネ部材４同士が近接または離間するように支柱３の軸心の円周方向へ回転することを防止することができる。
【００３１】
ストレーナー１のバネ部材４の複数の凹部４５は、取付部４０の貫通孔４１の周りを囲むように配置される。ストレーナー１のバネ部材４は、取付部４０の裏面に八個（複数）の凹部４５を備える。
つまり、ストレーナー１のバネ部材４は、前記一方のバネ部材４の取付部４０の凸部４４の少なくとも一部を配置する前記他方のバネ部材４の取付部４０の凹部４５が八個（複数）備えられる。
このため、ストレーナー１では、作業者が、前記一方のバネ部材４の取付部４０の凸部４４の少なくとも一部を配置する前記他方のバネ部材４の取付部４０の凹部４５を選択して、複数のバネ部材４が延出する方向を選択することができる。
したがって、ストレーナー１によれば、ストレーナー１が装着される排水口６の仕様（排水口６の素材、大きさ、または、形状等）に合わせて、より適切な方向に複数のバネ部材４をそれぞれ延出させた状態で、バネ部材４が支柱３の軸心の円周方向へ回転することを防止することができる。
【００３２】
ストレーナー１の複数のバネ部材４は、それぞれの取付部４０の表面に凸部４４をそれぞれに備え、それぞれの取付部４０の裏面に凹部４５をそれぞれ備える。
このため、ストレーナー１では、取付部４０に凸部４４のみを備えるバネ部材４と、取付部４０に凹部４５のみを備えるバネ部材４と、をそれぞれ用意することを要さず、バネ部材４の部品の共通化を図ることができる。
【００３３】
ストレーナー１のバネ部材４の八個（複数）の凹部４５は、取付部４０の貫通孔４１の周りに均等に配置される。ストレーナー１のバネ部材４の八個（複数）の凹部４５は、取付部４０の貫通孔４１を中心にして４５度ずつ（等角度で）位相をずらすようにして配置される。
ストレーナー１では、二個のバネ部材４が、それぞれ１８０度ずつ位相をずらすようにして配置されるとともに、それぞれ支柱３の軸心の円周方向への回転することが防止される。
このように、ストレーナー１では、複数のバネ部材４が、軸部材から外側にそれぞれ均等方向に延出するように配置されるとともに、複数のバネ部材４同士が近接または離間するように支柱３の軸心の円周方向への回転することを防止することができる。
このため、ストレーナー１では、複数のバネ部材４が延出する方向に偏りが無く、排水口６の内面をそれぞれ均等に押圧することとなる。
したがって、ストレーナー１によれば、ストレーナー１を排水口６に装着された状態を安定させることができる。
【００３４】
ストレーナー１のバネ部材４は、複数の八個（複数）の凸部４４を備える。
そして、ストレーナー１では、前記一方のバネ部材４の取付部４０の複数の凸部４４の少なくとも一部を、複数のバネ部材４は、前記他方のバネ部材４の取付部４０の複数の凹部４５内にそれぞれ配置して、隣り合うバネ部材４の取付部４０同士を密着させるように重ね合わせて支柱３に取付けられる。
このように、ストレーナー１では、隣り合うバネ部材４の一方のバネ部材４の取付部４０の複数の凸部４４が隣り合うバネ部材４の他方のバネ部材４の取付部４０の複数の凹部４５内にそれぞれ配置されるため、複数のバネ部材４同士が近接または離間するように支柱３の軸心の円周方向への回転するときの抵抗が更に大きくなり、複数のバネ部材４同士が近接または離間するように支柱３の軸心の円周方向への回転することを確実に防止することができる。
【００３５】
ストレーナー１のバネ部材４の凸部４４と凹部４５とは、バネ部材４の取付部４０にその裏面からプレス成形を施すことによって同時に成形される。
また、このようにバネ部材４の取付部４０にその裏面からプレス成形を施すことによって、ストレーナー１のバネ部材４の凸部４４は、バネ部材４の凹部４５が形成される位置に相当する位置に形成される。
したがって、ストレーナー１によれば、複数のバネ部材４同士が近接または離間するように支柱３の軸心の円周方向へ回転することを防止する手段を支柱３に設けるもの（例えば、支柱３の一端に凹または凸を形成して、複数のバネ部材４同士が近接または離間するように支柱３の軸心の円周方向へ回転することを防止するもの）に比べて、複数のバネ部材４同士が近接または離間するように支柱３の軸心の円周方向へ回転することを防止する構造のものを、容易に製造することができる。
【００３６】
なお、ストレーナー１は、ストレーナー１が装着される排水口６の仕様（排水口６の素材、大きさ、または、形状等）に合わせて、バネ部材４の個数を変更することもできる。
例えば、ストレーナー１は、図１３に示すように、四個（複数）のバネ部材４、を具備し、四個（複数）のバネ部材４（バネ部材４の延出部４２）を支柱３から放射状に延出するように配置することもできる。
このとき、ストレーナー１の四個のバネ部材４が、それぞれ９０度ずつ位相をずらすようにして配置されるとともに、それぞれのバネ部材４同士が近接または離間するように支柱３の軸心の円周方向への回転することを防止することができる。
また例えば、ストレーナー１は、図１４に示すように、八個（複数）のバネ部材４、を具備し、八個（複数）のバネ部材４（バネ部材４の延出部４２）を支柱３から放射状に延出するように配置することもできる。
このとき、ストレーナー１の八個のバネ部材４が、それぞれ４５度ずつ位相をずらすようにして配置されるとともに、それぞれのバネ部材４同士が近接または離間するように支柱３の軸心の円周方向への回転することを防止することができる。
【００３７】
次に、本発明の第二実施形態に係るストレーナー１について、図１５から図２５を用いて説明する。
なお、第二実施形態に係るストレーナー１の説明は、第一実施形態に係るストレーナー１と同様の構成の部分については適宜省略し、第一実施形態に係るストレーナー１の構成と異なる部分を中心に説明する。
【００３８】
ストレーナー１は、キャップ２と、支柱３と、三個（複数）のバネ部材４を具備する。
ストレーナー１の三個のバネ部材４は、図１５乃至図２４に示すように、それぞれ１２０度ずつ位相をずらすようにして配置される。
【００３９】
ストレーナー１のバネ部材４の複数の凹部４５は、取付部４０の貫通孔４１の周りを囲むように配置される。ストレーナー１のバネ部材４は、取付部４０の裏面に六個（複数）の凹部４５を備える。
つまり、ストレーナー１のバネ部材４は、前記一方のバネ部材４の取付部４０の凸部４４の少なくとも一部を配置する前記他方のバネ部材４の取付部４０の凹部４５が六個（複数）備えられる。
このため、ストレーナー１では、作業者が、前記一方のバネ部材４の取付部４０の凸部４４の少なくとも一部を配置する前記他方のバネ部材４の取付部４０の凹部４５を選択して、複数のバネ部材４が延出する方向を選択することができる。
したがって、ストレーナー１によれば、ストレーナー１が装着される排水口６の仕様（排水口６の素材、大きさ、または、形状等）に合わせて、より適切な方向に複数のバネ部材４をそれぞれ延出させた状態で、複数のバネ部材４同士が近接または離間するように支柱３の軸心の円周方向へ回転することを防止することができる。
【００４０】
ストレーナー１のバネ部材４の六個（複数）の凹部４５は、取付部４０の貫通孔４１の周りに均等に配置される。ストレーナー１のバネ部材４の六個（複数）の凹部４５は、取付部４０の貫通孔４１を中心にして６０度ずつ（等角度で）位相をずらすようにして配置される。
ストレーナー１では、三個のバネ部材４が、それぞれ１２０度ずつ位相をずらすようにして配置されるとともに、それぞれのバネ部材４同士が近接または離間するように支柱３の軸心の円周方向への回転することを防止することができる。
このように、ストレーナー１では、複数のバネ部材４が、軸部材から外側にそれぞれ均等方向に延出するように配置されるとともに、複数のバネ部材４同士が近接または離間するように支柱３の軸心の円周方向への回転することが防止される。
このため、ストレーナー１では、複数のバネ部材４が延出する方向に偏りが無く、排水口６の内面をそれぞれ均等に押圧することとなる。
したがって、ストレーナー１によれば、ストレーナー１を排水口６に装着された状態を安定させることができる。
【００４１】
ストレーナー１のバネ部材４は、複数の六個（複数）の凸部４４を備える。ストレーナー１のバネ部材４の複数の凸部４４は、取付部４０の貫通孔４１の周りを囲むように配置される。ストレーナー１のバネ部材４の六個（複数）の凸部４４は、取付部４０の表面における六個（複数）の凹部４５が形成される位置に相当する位置にそれぞれ形成される。ストレーナー１のバネ部材４の六個（複数）の凸部４４は、六個（複数）の凹部４５の真裏側にそれぞれ配置される。ストレーナー１のバネ部材４の六個（複数）の凸部４４は、取付部４０の貫通孔４１を中心にして６０度ずつ（等角度で）位相をずらすようにして配置される。
そして、ストレーナー１では、前記一方のバネ部材４の取付部４０の複数の凸部４４の少なくとも一部を、前記他方のバネ部材４の取付部４０の複数の凹部４５内にそれぞれ配置して、複数のバネ部材４は隣り合うバネ部材４の取付部４０同士を密着させるように重ね合わせて支柱３に取付けられる。
このように、ストレーナー１では、隣り合うバネ部材４の一方のバネ部材４の取付部４０の複数の凸部４４が隣り合うバネ部材４の他方のバネ部材４の取付部４０の複数の凹部４５内にそれぞれ配置されるため、複数のバネ部材４同士が近接または離間するように支柱３の軸心の円周方向への回転するときの抵抗が更に大きくなり、複数のバネ部材４同士が近接または離間するように支柱３の軸心の円周方向への回転することを確実に防止することができる。
【００４２】
なお、ストレーナー１は、ストレーナー１が装着される排水口６の仕様（排水口６の素材、大きさ、または、形状等）に合わせて、バネ部材４の個数を変更することもできる。
例えば、ストレーナー１は、図２５に示すように、六個（複数）のバネ部材４、を具備することもできる。
このとき、ストレーナー１の六個のバネ部材４が、それぞれ６０度ずつ位相をずらすようにして配置されるとともに、それぞれのバネ部材４同士が近接または離間するように支柱３の軸心の円周方向への回転することを防止することができる。
【００４３】
次に、本発明の第三実施形態に係るストレーナー１について、図２６から図３０を用いて説明する。
なお、第三実施形態に係るストレーナー１の説明は、第一実施形態または第二実施形態に係るストレーナー１と同様の構成の部分については適宜省略し、第一実施形態または第二実施形態に係るストレーナー１の構成と異なる部分を中心に説明する。
【００４４】
ストレーナー１は、図２６乃至図３０示すように、キャップ２と、支柱３と、三個（複数）のバネ部材４と、を具備する。
【００４５】
ストレーナー１のバネ部材４は、取付部４０と、二個の延出部４２と、回転防止部４３と、凸部４４と、凹部４５と、を備える。
【００４６】
ストレーナー１のバネ部材４の取付部４０は、バネ部材４の中央に配置される。
ストレーナー１のバネ部材４の延出部４２は、取付部４０以外の部分で構成される。ストレーナー１のバネ部材４の二個の延出部４２は、取付部４０からそれぞれ反対方向に向かって延出するように構成される。ストレーナー１のバネ部材４の二個の延出部４２は、取付部４０から延出する長さが排水口６の半径よりもそれぞれ長くなるように構成される。
【００４７】
ストレーナー１の三個のバネ部材４は、それぞれ１２０度ずつ位相をずらすようにして配置される。
ストレーナー１の三個のバネ部材４がそれぞれ１２０度ずつ位相をずらすようにして配置されることによって、バネ部材４の延出部４２が６０度ずつ位相をずらすようにして配置される。
【００４８】
ストレーナー１のバネ部材４は、取付部４０の裏面に六個（複数）の凹部４５と、取付部４０の表面に六個（複数）の凸部４４と、を備える。ストレーナー１のバネ部材４の六個（複数）の凹部４５と凸部４４とは、取付部４０の貫通孔４１を中心にして６０度ずつ（等角度で）位相をずらすようにしてそれぞれ配置される。
【００４９】
そして、バネ部材４が回転防止部４３を備えることによって、ストレーナー１では、複数のバネ部材４を互いに溶接して固定することを要さずに、複数のバネ部材４同士が近接または離間するように支柱３の軸心の円周方向へ回転することが防止される。
したがって、ストレーナー１によれば、溶接されて硬質化することが原因でバネ部材４が破損し易くなることを回避しつつ、複数のバネ部材４同士が近接または離間するように支柱３の軸心の円周方向へ回転することが防止することができる。
【符号の説明】
【００５０】
１    排水口用ストレーナー
２    キャップ
３    支柱
４    バネ部材
６    排水口
４０  取付部
４２  延出部
４３  回転防止部
４４  凸部
４５  凹部
【図１】
2014031625.tif 000003
【図２】
2014031625.tif 000004
【図３】
2014031625.tif 000005
【図４】
2014031625.tif 000006
【図５】
2014031625.tif 000007
【図６】
2014031625.tif 000008
【図７】
2014031625.tif 000009
【図８】
2014031625.tif 000010
【図９】
2014031625.tif 000011
【図１０】
2014031625.tif 000012
【図１１】
2014031625.tif 000013
【図１２】
2014031625.tif 000014
【図１３】
2014031625.tif 000015
【図１４】
2014031625.tif 000016
【図１５】
2014031625.tif 000017
【図１６】
2014031625.tif 000018
【図１７】
2014031625.tif 000019
【図１８】
2014031625.tif 000020
【図１９】
2014031625.tif 000021
【図２０】
2014031625.tif 000022
【図２１】
2014031625.tif 000023
【図２２】
2014031625.tif 000024
【図２３】
2014031625.tif 000025
【図２４】
2014031625.tif 000026
【図２５】
2014031625.tif 000027
【図２６】
2014031625.tif 000028
【図２７】
2014031625.tif 000029
【図２８】
2014031625.tif 000030
【図２９】
2014031625.tif 000031
【図３０】
2014031625.tif 000032